(57)【要約】【課題】電源の信頼性を損なうことなく、情報処理装置の筐体の小型化を実現する。【解決手段】冗長電源装置２１は、冗長化された複数の電源ユニット２１１，２１２を備えている。各電源ユニットは、ＡＣ電源からＤＣ電源を生成する。冗長電源装置２１からのＤＣ電源は、サーバコンピュータ１１に供給される。電源ユニット２１１，２１２の一方が故障しても、他方の電源装置によって正常なＤＣ電源をサーバコンピュータ１１に供給することができる。サーバコンピュータ１１の筐体内にはＤＣ／ＤＣコンバータ１１７が設けられている。このＤＣ／ＤＣコンバータ１１７は、冗長電源装置２１から供給されるＤＣ電源からサーバコンピュータ１１内の各デバイスの動作に必要な電源電圧を生成する。【選択図】　図１
2004038331.tif 000002
【特許請求の範囲】
【請求項１】
外部から供給される直流電源によって動作可能に構成された情報処理装置であって、
交流電源を直流電源にそれぞれ変換する冗長化された複数の電源ユニットを含む外部の冗長電源装置と、
複数のデバイスが収容された筐体と、
前記筐体に設けられ、前記冗長電源装置から供給される直流電源を受信するように構成された直流電源入力端子と、
前記筐体内に設けられ、前記直流電源入力端子によって受信された直流電源から前記各デバイスに供給すべき電源電圧を生成する電源回路とを具備することを特徴とする情報処理装置。
【請求項２】
前記電源回路は冗長化された第１および第２の少なくとも２つの電源回路部を含み、前記第１および第２の電源回路部には、前記直流電源入力端子によって受信された直流電源がそれぞれ入力されることを特徴とする請求項１記載の情報処理装置。
【請求項３】
前記冗長電源装置は、前記複数の電源ユニットの各々が取り外し自在に収納可能に構成された筐体を含むことを特徴とする請求項１記載の情報処理装置。
【請求項４】
前記複数の電源ユニットの各々は、交流電源を直流電源に変換するフィルタと、前記フィルタから出力される直流電源の電圧値を所定の電圧値に変換するＤＣ／ＤＣコンバータとを含むことを特徴とする請求項１記載の情報処理装置。
【請求項５】
前記各電源ユニット内の前記ＤＣ／ＤＣコンバータによって得られる前記所定の電圧値は、前記情報処理装置内の前記電源回路によって生成される前記電源電圧よりも高いことを特徴とする請求項１記載の情報処理装置。
【請求項６】
前記情報処理装置の筐体に接続可能に構成され、周辺デバイスが収容された外部の拡張Ｉ／Ｏ装置をさらに具備し、
前記冗長電源装置は、前記拡張Ｉ／Ｏ装置の筐体内に設けられていることを特徴とする請求項１記載の情報処理装置。
【請求項７】
前記拡張Ｉ／Ｏ装置は、
その拡張Ｉ／Ｏ装置の筐体内に設けられ、前記冗長電源装置から出力される直流電源から、前記周辺デバイスに供給すべき電源電圧を生成する電源回路をさらに含むことを特徴とする請求項６記載の情報処理装置。
【請求項８】
前記冗長電源装置の直流電源は、複数の電源伝送線を介して前記冗長電源装置から前記情報処理装置に供給されることを特徴とする請求項１記載の情報処理装置。
【請求項９】
情報処理装置に電源を供給する方法であって、
交流電源を直流電源にそれぞれ変換する冗長化された複数の電源ユニットを含む外部の冗長電源装置から前記情報処理装置に直流電源を供給し、
前記情報処理装置の本体内に設けられた電源回路によって、前記冗長電源装置から供給される直流電源から、前記情報情報処理装置内の各デバイスに供給すべき電源電圧を生成することを特徴とする方法。
【請求項１０】
前記電源回路は冗長化された第１および第２の少なくとも２つの電源回路部を含み、前記第１および第２の電源回路部には、前記直流電源入力端子によって受信された直流電源がそれぞれ入力されることを特徴とする請求項９記載の方法。
【請求項１１】
前記冗長電源装置は、前記複数の電源ユニットの各々が取り外し自在に収納可能に構成された筐体を含むことを特徴とする請求項９記載の方法。
【請求項１２】
前記複数の電源ユニットの各々は、交流電源を直流電源に変換するフィルタと、前記フィルタから出力される直流電源の電圧値を所定の電圧値に変換するＤＣ／ＤＣコンバータとを含むことを特徴とする請求項９記載の方法。
【請求項１３】
前記各電源ユニット内の前記ＤＣ／ＤＣコンバータによって得られる前記所定の電圧値は、前記情報処理装置内の前記電源回路によって生成される前記電源電圧よりも高いことを特徴とする請求項１２記載の方法。
【発明の詳細な説明】
【０００１】
【発明の属する技術分野】
本発明は例えばサーバコンピュータなどの情報処理装置および同装置への電源供給方法に関する。
【０００２】
【従来の技術】
一般に、サーバコンピュータなどの情報処理装置においては、その動作の信頼性を向上させるために冗長電源システムが用いられている。冗長電源システムは、冗長化された２以上の電源装置から構成される。各電源装置は、それ単独でシステムに動作電源を供給できるように、交流電源（ＡＣ電源）を直流電源（ＤＣ電源）に変換するユニットと、直流電源（ＤＣ電源）から所望の動作電源電圧を生成するユニットとから構成されている。
【０００３】
このような冗長電源システムを適用したサーバコンピュータの筐体内には、冗長化された２以上の電源装置が収容される。もし２以上の電源装置の内の１つが故障しても、他の電源装置によって安定した動作電源電圧をシステムの各コンポーネントに供給することが出来る。
【０００４】
【発明が解決しようとする課題】
しかし、従来の冗長電源システムでは、ＡＣ電源をＤＣ電源に変換するユニットとＤＣ電源から所望の動作電源電圧を生成するユニットとを含む電源装置全体の構成を冗長化している。このため、例えば２重化構成の冗長電源システムをサーバコンピュータに適用する場合には、非冗長の通常の電源装置を使用する場合に比べ、２倍の収容スペースをサーバコンピュータの本体内に確保することが必要となる。
【０００５】
最近では、サーバコンピュータにおいてもその小型化が要求され始めている。よって、サーバコンピュータなどの情報処理装置の小型化に適した新たな冗長電源システムを実現する必要性がある。
【０００６】
本発明は上記事情を考慮してなされたものであり、電源の信頼性を損なうことなく、筐体の小型化を実現することが可能な情報処理装置および同装置への電源供給方法を提供することを目的とする。
【０００７】
【課題を解決するための手段】
上述の課題を解決するため、本発明は、外部から供給される直流電源によって動作可能に構成された情報処理装置であって、交流電源を直流電源にそれぞれ変換する冗長化された複数の電源ユニットを含む外部の冗長電源装置と、複数のデバイスが収容された筐体と、前記筐体に設けられ、前記冗長電源装置から供給される直流電源を受信するように構成された直流電源入力端子と、前記筐体内に設けられ、前記直流電源入力端子によって受信された直流電源から前記各デバイスに供給すべき電源電圧を生成する電源回路とを具備することを特徴とする。
【０００８】
この情報処理装置においては、電源装置が、交流電源を直流電源に変換する電源ユニットと、直流電源から所望の動作電源電圧を生成する電源回路とに分離されている。電源ユニットは外部の冗長電源装置に設けられており、電源回路は情報処理装置の筐体内に設けられている。電源回路はＤＣ／ＤＣコンバータなどの電子部品のみで構成することが出来るので、コンパクトな情報処理装置の筐体内にも十分に収容することが出来る。外部の冗長電源装置においては、冗長化された複数の電源ユニットが設けられているので、複数の電源ユニットの一つが故障しても、他の電源ユニットによって安定した直流電源を情報処理装置に供給することが出来る。よって、電源の信頼性を損なうことなく、筐体の小型化を実現することが可能となる。
【０００９】
【発明の実施の形態】
以下、図面を参照して本発明の実施形態を説明する。
図１には、本発明の一実施形態に係る情報処理装置が示されている。この情報処理装置はサーバコンピュータ１１として機能する。このサーバコンピュータ１１は、外部の冗長電源装置２１から電源ケーブルを介して供給される直流電源（ＤＣ電源）によって動作可能に構成されている。
【００１０】
サーバコンピュータ１１の筐体内には、図示のように、ＣＰＵ１１１、システムコントローラ１１２、メモリ１１３、ハードディスクドライブ１１４、複数の拡張カードスロット１１５、複数のドライブベイスロット１１６、およびＤＣ／ＤＣコンバータ１１７が設けられている。
【００１１】
サーバコンピュータ１１はマルチプロセッサ構成に対応している。２以上のＣＰＵ１１１をサーバコンピュータ１１のマザーボード上に実装することが出来る。各拡張カードスロット１１５には、ＰＣＩ（Ｐｅｒｉｐｈｅｒａｌ　Ｃｏｍｐｏｎｅｎｔ　Ｉｎｔｅｒｃｏｎｎｅｃｔ）カード等の拡張カードを装着することが出来る。各ドライブベイスロット１１６は、ＣＤ−ＲＯＭドライブ、フレキシブルディスクドライブ、などのドライブユニットを搭載するために用いられる。
【００１２】
ＤＣ／ＤＣコンバータ１１７は、電源ケーブルを介して外部の冗長電源装置２１から供給されるＤＣ電源から、サーバコンピュータ１１の各コンポーネントに供給すべき電源電圧を生成する電源回路である。電源ケーブルを介して外部の冗長電源装置２１から供給されるＤＣ電源は、サーバコンピュータ１１の筐体に設けられたＤＣ電源入力端子１１０によって受信される。ＤＣ電源入力端子１１０によって受信されたＤＣ電源はＤＣ／ＤＣコンバータ１１７に入力される。ＤＣ／ＤＣコンバータ１１７は、入力されたＤＣ電源の電圧値を、各コンポーネントに供給すべき電源電圧値に変換する。
【００１３】
冗長電源装置２１は、冗長化された複数の電源ユニット２１１，２１２，２１３から構成されている。冗長電源装置２１の筐体には複数の電源装着スロットが設けられている。電源ユニット２１１，２１２，２１３の各々は、電源装着スロットに取り外し自在に装着される。冗長化構成のタイプとしては、良く知られた、２重化構成、またはＮ＋１構成（Ｎは目的の電力量を供給するために必要な電源ユニットの総数）が用いられる。
【００１４】
以下では、２重化構成を使用する場合を想定することとする。この場合、冗長電源装置２１は、２重化された第１および第２の２つの電源ユニット２１１，２１２から構成される。
【００１５】
電源ユニット２１１，２１２の各々は、交流電源（ＡＣ電源）をＤＣ電源に変換するＡＣ／ＤＣコンバータ（ＡＣアダプタ）である。電源ユニット２１１，２１２の出力は、冗長電源装置２１の筐体に設けられたＤＣ電源出力端子２１０に並列に接続されている。電源ユニット２１１，２１２の一方が故障した場合でも、サーバコンピュータ１１の動作に必要なＤＣ電源を他方の電源ユニットから供給することができる。すなわち、２つの電源ユニット２１１，２１２は常時並列的に動作しており、予め決められた電力量のＤＣ電源を共同して生成する。電源ユニット２１１，２１２の各々は、それ単独でも予め決められた電力量のＤＣ電源を生成できる能力を持つ。これにより、たとえ電源ユニット２１１，２１２の一方が故障しても、他方の電源ユニットによって、予め決められた電力量のＤＣ電源を供給し続けることが出来る。各電源ユニット２１１，２１２は、冗長電源装置２１の電源出力の値をモニタしながら動作する。２つの電源ユニット２１１，２１２が共に稼働している期間中は、各電源ユニットは、その半分の能力で稼働する。
【００１６】
通常、ＡＣ／ＤＣコンバータを実現するためには、多くの電子部品が必要となる。このため、上述のように、電源ユニット２１１，２１２の各々を外部ＡＣアダプタとしてサーバコンピュータ１１の筐体外に設ける構成は、サーバコンピュータ１１の筐体サイズの小型化に好適である。また、多くの電子部品を必要とするＡＣ／ＤＣコンバータはＤＣ／ＤＣコンバータよりも故障が発生しやすい。よって、ＡＣ／ＤＣコンバータを２重化することにより、十分な信頼性を確保することが可能となる。
【００１７】
上記構成のシステムにおいては、ＡＣ電源は冗長電源装置２１によってある特定の高電圧のＤＣ電源（例えば２４Ｖ）に変換された後、電源ケーブルを介してサーバコンピュータ１１に送られる。サーバコンピュータ１１では、冗長電源装置２１からのＤＣ電源がＤＣ／ＤＣコンバータ１１７によって再変換され、これによって複数種のデバイスの動作に必要な複数種の動作電源電圧（＋５Ｖ，１２Ｖ，−１２Ｖ，３．３Ｖ等）が生成される。このようにサーバコンピュータ１１内でＤＣ電源の電圧値を再変換することにより、たとえ電源ケーブルを介して供給されるＤＣ電源の電圧値が多少変動しても、安定した動作電源電圧をサーバコンピュータ１１内の各デバイスに供給することが出来る。
【００１８】
図２には、電源ユニット２１１，２１２とＤＣ／ＤＣコンバータ１１７の構成例が示されている。
【００１９】
第１の電源ユニット２１１は、図示のように、ＡＣインレット３０１、フィルタ３０２、力率改善回路（ＰＦＣ；ｐｏｗｅｒ　ｆａｃｔｏｒ　ｃｏｒｒｅｃｔｉｏｎ）３０３、絶縁型ＤＣ／ＤＣコンバータ３０４、および出力端子３０５を備えている。
【００２０】
ＡＣインレット３０１にはＡＣ電源が入力される。フィルタ３０２は、ＡＣインレット３０１を介して入力されたＡＣ電源を整流することによって、そのＡＣ電源を直流電源に変換する整流回路である。このフィルタ３０２は、例えば、図示のように、２つのコンデンサＣ１，Ｃ２と、それらコンデンサＣ１とＣ２との間に挿入されたトランスＴ１とによって構成することが出来る。
【００２１】
力率改善回路（ＰＦＣ）３０３は電力損失を補うために設けられたものであり、例えば、図示のように、コイルＬ、スイッチング・トランジスタＴｒ、整流ダイオードＤ、およびコンデンサＣを含むアップコンバータ等によって実現することが出来る。スイッチング・トランジスタＴｒは、そのゲートに入力されるＰＷＭ（ｐｕｌｓｅ−ｗｉｄｔｈ　ｍｏｄｕｌａｔｉｏｎ）信号によってスイッチング制御される。
【００２２】
絶縁型ＤＣ／ＤＣコンバータ３０４は、力率改善回路（ＰＦＣ）３０３から出力されるＤＣ電源の電圧値を例えば２４Ｖの電圧値に変換する。この絶縁型ＤＣ／ＤＣコンバータ３０４は、例えば、図示のように、スイッチング・トランジスタＴｒ、トランスＴ１、整流ダイオードＤ１、フリー・ホイール・ダイオードＤ２、コイルＬ、およびコンデンサＣから構成することが出来る。スイッチング・トランジスタＴｒは、そのゲートに入力されるＰＷＭ（ｐｕｌｓｅ−ｗｉｄｔｈ　ｍｏｄｕｌａｔｉｏｎ）信号によってスイッチング制御される。ＰＷＭ信号のデューティー比を調整することにより、＋２４ＶのＤＣ電圧を得ることが出来る。
【００２３】
第１の電源ユニット２１１には、各々が上述のフィルタ３０２、力率改善回路（ＰＦＣ；ｐｏｗｅｒ　ｆａｃｔｏｒ　ｃｏｒｒｅｃｔｉｏｎ）３０３、および絶縁型ＤＣ／ＤＣコンバータ３０４からなる例えば２つの系が設けられており、＋２４Ｖ，８ＡのＤＣ電源が２つ生成される。これらＤＣ電源は２つの電源伝送線にそれぞれ分流されて、サーバコンピュータ１１７内のＤＣ／ＤＣコンバータ１１７に供給される。これは、電源の伝送を安全に図るために、１つの電源伝送線当たりで伝送する電力量を一定値（例えば２４０ＶＡ）以内に抑えるためである。
【００２４】
第２の電源ユニット２１２も、第１の電源ユニット２１１と同様に、ＡＣインレット４０１、フィルタ４０２、力率改善回路（ＰＦＣ；ｐｏｗｅｒ　ｆａｃｔｏｒ　ｃｏｒｒｅｃｔｉｏｎ）４０３、絶縁型ＤＣ／ＤＣコンバータ４０４、および出力端子４０５を備えている。
【００２５】
ＡＣインレット４０１にはＡＣ電源が入力される。フィルタ４０２は、ＡＣインレット４０１を介して入力されたＡＣ電源を整流することによって、ＡＣ電源を直流電源に変換する整流回路である。このフィルタ４０２は、例えば、図示のように、２つのコンデンサＣ１，Ｃ２と、それらコンデンサＣ１とＣ２との間に挿入されたトランスＴ１とによって構成することが出来る。
【００２６】
力率改善回路（ＰＦＣ）４０３は電力損失を補うために設けられたものであり、例えば、図示のように、コイルＬ、スイッチング・トランジスタＴｒ、整流ダイオードＤ、およびコンデンサＣを含むアップコンバータ等によって実現することが出来る。スイッチング・トランジスタＴｒは、そのゲートに入力されるＰＷＭ（ｐｕｌｓｅ−ｗｉｄｔｈ　ｍｏｄｕｌａｔｉｏｎ）信号によってスイッチング制御される。
【００２７】
絶縁型ＤＣ／ＤＣコンバータ４０４は、力率改善回路（ＰＦＣ）４０３から出力されるＤＣ電源の電圧値を例えば２４Ｖの電圧値に変換する。この絶縁型ＤＣ／ＤＣコンバータ４０４は、例えば、図示のように、スイッチング・トランジスタＴｒ、トランスＴ１、整流ダイオードＤ１、フリー・ホイール・ダイオードＤ２、コイルＬ、およびコンデンサＣから構成することが出来る。スイッチング・トランジスタＴｒは、そのゲートに入力されるＰＷＭ（ｐｕｌｓｅ−ｗｉｄｔｈ　ｍｏｄｕｌａｔｉｏｎ）信号によってスイッチング制御される。ＰＷＭ信号のデューティー比を調整することにより、＋２４ＶのＤＣ電圧を得ることが出来る。
【００２８】
第２の電源ユニット２１２にも、各々が上述のフィルタ４０２、力率改善回路（ＰＦＣ；ｐｏｗｅｒ　ｆａｃｔｏｒ　ｃｏｒｒｅｃｔｉｏｎ）４０３、および絶縁型ＤＣ／ＤＣコンバータ４０４からなる例えば２つの系が設けられており、＋２４Ｖ，８ＡのＤＣ電源が２つ生成される。これらＤＣ電源は２つの電源伝送線にそれぞれ分流されて、サーバコンピュータ１１７内のＤＣ／ＤＣコンバータ１１７に供給される。
【００２９】
サーバコンピュータ１１７内のＤＣ／ＤＣコンバータ１１７には、図示のように、非絶縁型のＤＣ／ＤＣコンバータ５０１と出力端子５０２が設けられている。非絶縁型のＤＣ／ＤＣコンバータ５０１は、冗長電源装置２１からのＤＣ電源から各デバイスに対応する所定の動作電源電圧を生成する。このＤＣ／ＤＣコンバータ５０１は、例えば、図示のように、スイッチング・トランジスタＴｒ、整流ダイオードＤ１、フリー・ホイール・ダイオードＤ２、コイルＬ、およびコンデンサＣから構成することが出来る。スイッチング・トランジスタＴｒは、そのゲートに入力されるＰＷＭ信号によってスイッチング制御される。
【００３０】
なお、実際には、ＤＣ／ＤＣコンバータ１１７内には幾つかのレギュレータも内蔵されており、これらレギュレータとＤＣ／ＤＣコンバータ５０１との共同動作によって、＋５Ｖ，＋３．３Ｖ、＋１２Ｖ，−１２Ｖ、等の複数のＤＣ電源電圧が生成される。
【００３１】
図３には、冗長電源装置２１からサーバコンピュータ１１へのＤＣ電源の伝送経路の例が示されている。
【００３２】
上述のように、冗長電源装置２１からサーバコンピュータ１１へのＤＣ電源の伝送のために、複数の電源伝送線が用いられる場合がある。図３においては、３つの電源ユニット２１１，２１２，２１３それぞれに対応する３つの電源伝送線３１，３２，３３を使用する場合が示されている。これら３つの電源伝送線３１，３２，３３は１本の電源ケーブル内に収容してもよいし、複数の電源ケーブルに１本ずつ個別に収容しても良い。
【００３３】
第１の電源ユニット２１１の出力は、ＤＣ電源出力端子２１０ａおよび電源伝送線３１を介して、サーバコンピュータ１１の筐体に設けられたＤＣ電源入力端子１１０ａに接続される。同様に、第２の電源ユニット２１２の出力は、ＤＣ電源出力端子２１０ｂおよび電源伝送線３２を介してサーバコンピュータ１１の筐体に設けられたＤＣ電源入力端子１１０ｂに接続され、第３の電源ユニット２１３の出力は、ＤＣ電源出力端子２１０ｃおよび電源伝送線３３を介してサーバコンピュータ１１の筐体に設けられたＤＣ電源入力端子１１０ｃに接続される。
【００３４】
サーバコンピュータ１１においては、ＤＣ電源入力端子１１０ａ，１１０ｂ，１１０ｃそれぞれとＤＣ／ＤＣコンバータ１１７の入力端子との間に３つのダイオードＤ１１，Ｄ１２，Ｄ１３がそれぞれ設けられている。これらダイオードＤ１１，Ｄ１２，Ｄ１３の働きにより、正常動作している電源ユニットからのＤＣ電源が、故障中の電源ユニットまたは電源ユニットが装着されていない電源ユニット装着スロットに逆流することを防止することが出来る。
【００３５】
図４には、冗長電源装置２１をサーバコンピュータ１１に接続可能な拡張Ｉ／Ｏ装置の筐体内に設ける場合の例が示されている。
【００３６】
すなわち、図４においては、冗長電源装置２１を構成する第１および第２の２つの電源ユニット２１１，２１２は、拡張Ｉ／Ｏ装置５１の筐体内に収容されている。拡張Ｉ／Ｏ装置５１は、サーバコンピュータ１１の機能拡張の為に必要に応じてサーバコンピュータ１１に接続されるオプションデバイスである。拡張Ｉ／Ｏ装置５１の筐体内は、例えばハードディスドライブ（ＨＤＤ）等の周辺デバイスを複数収容することができる。
【００３７】
図４においては、ディスクアレイを構成する４つのＨＤＤ３１１，３１２，３１３，３１４が収容されている例が示されている。この場合、サーバコンピュータ１１はＳＣＳＩインタフェースケーブル４１を介してＨＤＤ３１１，３１２，３１３，３１４をアクセスすることが出来る。第１および第２の２つの電源ユニット２１１，２１２からなる冗長電源装置２１からのＤＣ電源は、電源ケーブル４２を介してサーバコンピュータ１１に供給される。
【００３８】
このように冗長電源装置２１を拡張Ｉ／Ｏ装置５１の筐体内に設ける構成により、専用の冗長電源装置２１を設ける必要が無くなるため、システム全体の構成を簡単化することが可能となる。
【００３９】
さらに、拡張Ｉ／Ｏ装置５１の筐体内には、ＤＣ／ＤＣコンバータ３１５が設けられている。このＤＣ／ＤＣコンバータ３１５は、第１および第２の２つの電源ユニット２１１，２１２からなる冗長電源装置２１からのＤＣ電源を用いて、ＨＤＤ３１１，３１２，３１３，３１４に供給すべき電源電圧を生成する。これにより、第１および第２の２つの電源ユニット２１１，２１２からなる冗長電源装置２１を、サーバコンピュータ１１へのＤＣ電源の供給と、拡張Ｉ／Ｏ装置５１への電源供給とに共用することが可能となる。
【００４０】
図５には、サーバコンピュータ１１の第２の例が示されている。この図５のサーバコンピュータ１１においては、冗長化された２つのＤＣ／ＤＣコンバータ１１７Ａ，１１７Ｂが設けられている。他の構成は図１と同じである。２つのＤＣ／ＤＣコンバータ１１７Ａ，１１７ＢはＤＣ電源入力端子１１０に並列に接続されており、ＤＣ電源入力端子１１０によって受信されたＤＣ電源がそれぞれ入力される。
【００４１】
ＤＣ／ＤＣコンバータ１１７Ａ，１１７Ｂのどちらも、冗長電源装置２１から供給されるＤＣ電源から、サーバコンピュータ１１の各コンポーネントに供給すべき電源電圧を生成することができる。よって、２つのＤＣ／ＤＣコンバータ１１７Ａ，１１７Ｂの一方が故障しても、他方によって各コンポーネントに電源電圧を供給することが出来る。もちろん、２つのＤＣ／ＤＣコンバータ１１７Ａ，１１７Ｂではなく、冗長化された３つ以上のＤＣ／ＤＣコンバータをＤＣ電源入力端子１１０に並列に接続してもよい。
【００４２】
図６には、電源ユニット２１１，２１２とＤＣ／ＤＣコンバータ１１７Ａ，１１７Ｂの構成例が示されている。
【００４３】
電源ユニット２１１，２１２の構成は図２と同じである。第１のＤＣ／ＤＣコンバータ１１７Ａには非絶縁型のＤＣ／ＤＣコンバータ５０１Ａと出力端子５０２Ａが設けられており、また第２のＤＣ／ＤＣコンバータ１１７Ａには非絶縁型のＤＣ／ＤＣコンバータ５０１Ｂと出力端子５０２Ｂが設けられている。第１のＤＣ／ＤＣコンバータ１１７Ａの出力端子５０２Ａと第２のＤＣ／ＤＣコンバータ１１７Ａの出力端子５０２Ｂは、互いに同一値の電源電圧出力同士がＯＲ接続されるように接続されている。
【００４４】
以上のように、本実施形態においては、ＡＣ／ＤＣコンバータとして機能する電源ユニットを外部の冗長電源装置２１内に２重化して設けることにより、電源の信頼性を損なうことなく、サーバコンピュータ１１の筐体の小型化を図ることが可能となる。
【００４５】
なお、本発明は、上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００４６】
【発明の効果】
以上説明したように、本発明によれば、電源の信頼性を損なうことなく、筐体の小型化を実現することが可能となる。
【図面の簡単な説明】
【図１】本発明の一実施形態に係る情報処理装置と同装置にＤＣ電源を供給する冗長電源装置の構成を示すブロック図。
【図２】図１の冗長電源装置に設けられた２つの電源ユニットと図１の情報処理装置に設けられたＤＣ／ＤＣコンバータの構成を示す回路図。
【図３】図１の情報処理装置と図１の冗長電源装置との間の接続例を示す図。
【図４】図１の冗長電源装置が設けられた拡張Ｉ／Ｏ装置を示す図。
【図５】本発明の一実施形態に係る情報処理装置の他の構成例を示すブロック図。
【図６】図５の情報処理装置に設けられた２つのＤＣ／ＤＣコンバータの構成を示す回路図。
【符号の説明】
１１…サーバコンピュータ
２１…冗長電源装置
１１７，１１７Ａ，１１７Ｂ…ＤＣ／ＤＣコンバータ
２１１，２１２，２１３…電源ユニット
３０１，４０１…ＡＣインレット
３０２，４０２…フィルタ
３０３，４０３…ＰＦＣ回路
３０４，４０４…絶縁型ＤＣ／ＤＣコンバータ
５０１…非絶縁型ＤＣ／ＤＣコンバータ
１１０，１１０Ａ，１１０Ｂ，１１０Ｃ…ＤＣ電源入力端子
【図１】
2004038331.tif 000003
【図２】
2004038331.tif 000004
【図３】
2004038331.tif 000005
【図４】
2004038331.tif 000006
【図５】
2004038331.tif 000007
【図６】
2004038331.tif 000008